(57)【特許請求の範囲】
【請求項１】
デバイスの画面上の領域を選択する方法において、
前記デバイスの前記画面の外郭からドラッグされる信号を認識する段階と、
前記ドラッグが解除される位置に基づいて選択領域を定める段階と、を含み、
前記ドラッグ信号を認識する段階は、
前記デバイスの前記画面上に指定された外郭領域から始まってドラッグされる信号を受信して、ドラッグ距離が所定のしきい値より大きければ認識する段階を含む
ことを特徴とする領域選択方法。
【請求項２】
前記ドラッグ信号を認識する段階は、
前記画面の外郭に配列されたセンサー入力信号及び前記画面上の入力信号を認識する段階を含むことを特徴とする請求項１に記載の領域選択方法。
【請求項３】
前記ドラッグ信号を認識する段階は、
前記画面上の入力信号に基づいてタッチされた面の形態を分析し、前記分析結果によって前記画面上の入力信号を前記画面の外郭からドラッグされる信号と定める段階を含むことを特徴とする請求項１に記載の領域選択方法。
【請求項４】
前記定められた選択領域から始まってドラッグされる信号に基づいて前記選択領域を調整する段階をさらに含むことを特徴とする請求項１に記載の領域選択方法。
【請求項５】
前記ドラッグが解除される前に、前記画面上の前記認識された入力信号と異なる入力信号を認識する段階をさらに含み、
前記選択領域を定める段階は、
前記ドラッグが解除される位置及び前記他の入力信号の位置に基づいて前記選択領域を定める段階を含むことを特徴とする請求項１に記載の領域選択方法。
【請求項６】
前記他の入力信号は、タップまたはタッチ信号を含むことを特徴とする請求項５に記載の領域選択方法。
【請求項７】
前記他の入力信号は、前記デバイスの前記画面の外郭からドラッグされるさらに他の信号を含むことを特徴とする請求項５に記載の領域選択方法。
【請求項８】
デバイスの画面上の領域を選択する装置において、
前記デバイスの前記画面の外郭からドラッグされる信号を認識する信号認識部と、
前記ドラッグが解除される位置に基づいて選択領域を定める選択領域決定部と、を備え、
前記信号認識部は、
前記デバイスの前記画面上に指定された外郭からドラッグされる信号を受信して、ドラッグ距離が所定のしきい値より大きければ認識する
ことを特徴とする領域選択装置。
【請求項９】
前記信号認識部は、
前記画面の外郭に配列されたセンサーからの入力信号及び前記画面上の入力信号を認識することを特徴とする請求項８に記載の領域選択装置。
【請求項１０】
前記信号認識部は、
前記画面上の入力信号に基づいてタッチされた面の形態を分析し、前記分析結果によって前記画面上の入力信号を前記画面の外郭からドラッグされる信号と定めることを特徴とする請求項８に記載の領域選択装置。
【請求項１１】
前記選択領域決定部は、前記定められた選択領域から始まってドラッグされる信号に基づいて前記選択領域を調整することを特徴とする請求項８に記載の領域選択装置。
【請求項１２】
前記信号認識部は、前記ドラッグが解除される前に前記画面上の前記認識された入力信号と異なる入力信号をさらに認識し、
前記選択領域決定部は、
前記ドラッグが解除される位置及び前記他の入力信号の位置に基づいて前記選択領域を定めることを特徴とする請求項８に記載の領域選択装置。
【請求項１３】
前記他の入力信号は、タップまたはタッチ信号を含むことを特徴とする請求項１２に記載の領域選択装置。
【発明の詳細な説明】
【技術分野】
【０００１】
本発明は、モバイルデバイスの画面上の領域選択方法及び装置に関する。
【背景技術】
【０００２】
インタラクションの経験価値増大のためにマルチモーダルユーザインターフェースが重要になっている。そして、マルチタッチ技術の普及でマルチタッチスクリーン付きモバイルデバイスの市場が広がりつつある。
【０００３】
このようなタッチスクリーン上でユーザは、所望の機能を行えるだけではなくコンテンツやテキストの一部を選択することもできる。このような選択信号は他のタッチ信号、すなわち、スクロール信号やパンニング信号などとインタラクションが重なる場合が多いため、正確な信号区分のためにコンテンツ選択のためのロングタップの持続時間が長くなり、所望の区間選択に時間遅滞現象が生じる。
【０００４】
また、従来には入力信号を受けた時に器機自体で任意に選択領域を指定し、ユーザがリリースした後で選択区間を調節できるため、入力信号を与えると同時に所望の区間を選択し難い。
【０００５】
タッチ基盤のモバイルデバイスで他のタッチ信号と混同しないようにしつつ、複数のコンテンツを明確で速く選択できる方案が要求される。
【発明の概要】
【発明が解決しようとする課題】
【０００６】
本発明は、モバイルデバイスでコンテンツ選択を容易かつ信頼性のあるように行える領域選択方法及び領域選択装置を提供することを目的とする。
【課題を解決するための手段】
【０００７】
このような課題を解決するために本発明の一特徴は、デバイスの画面上の領域を選択する方法において、前記デバイスの前記画面の外郭からドラッグされる信号を認識する段階と、前記ドラッグが解除される位置に基づいて選択領域を定める段階と、を含むことである。
【０００８】
本発明の他の特徴は、デバイスの画面上の領域を選択する装置において、前記デバイスの前記画面の外郭からドラッグされる信号を認識する信号認識部と、前記ドラッグが解除される位置に基づいて選択領域を定める選択領域決定部と、を備えることである。
【０００９】
本発明によれば、モバイルデバイスの画面の外郭から入ってくる信号をコンテンツの選択に用いることで、他の信号との混同がなくてコンテンツ選択の信頼度が高くなり、ＰＣ環境と類似しているため、ユーザの立場で容易に使える。
【図面の簡単な説明】
【００１０】
【図１】本発明による領域選択装置を備えるモバイルデバイス１００の概略的なブロック図である。
【図２】本発明によってモバイルデバイス上の領域の選択方法のフローチャートである。
【図３】図２に示したモバイルデバイス上の領域の選択方法をさらに具体化した一例を示すフローチャートである。
【図４Ａ】図３の動作説明を容易にするための参照図である。
【図４Ｂ】図３の動作説明を容易にするための参照図である。
【図４Ｃ】図３の動作説明を容易にするための参照図である。
【図５Ａ】図３の動作説明を容易にするための参照図である。
【図５Ｂ】図３の動作説明を容易にするための参照図である。
【図６】モバイルデバイスの画面の外郭から始まる信号を受信して認識する方法の一例を示すフローチャートである。
【図７】本発明によって画面の外郭にセンサーが配列されたモバイルデバイスの例を示す図面である。
【図８】画面の外郭に配列されたセンサーから、画面の外郭から始まる信号を受信する過程を説明するための参照図である。
【図９】モバイルデバイスの画面の外郭から始まる信号を受信して認識する方法の他の例を示すフローチャートである。
【図１０Ａ】図９に示した方法を説明するための参照図である。
【図１０Ｂ】図９に示した方法を説明するための参照図である。
【図１１】モバイルデバイスの画面の外郭から始まる信号を受信して認識する方法のさらに他の例を示すフローチャートである。
【図１２Ａ】図１１の方法を説明するための参照図である。
【図１２Ｂ】図１１の方法を説明するための参照図である。
【図１３Ａ】図１１の方法を説明するための参照図である。
【図１３Ｂ】図１１の方法を説明するための参照図である。
【図１４Ａ】図１１の方法を説明するための参照図である。
【図１４Ｂ】図１１の方法を説明するための参照図である。
【図１５Ａ】指一本でコンテンツを選択し、選択領域を調節する例を示す図面である。
【図１５Ｂ】指一本でコンテンツを選択し、選択領域を調節する例を示す図面である。
【図１５Ｃ】指一本でコンテンツを選択し、選択領域を調節する例を示す図面である。
【図１６Ａ】指一本でコンテンツを選択する他の例を示す図面である。
【図１６Ｂ】指一本でコンテンツを選択する他の例を示す図面である。
【図１７Ａ】指一本でテキストを選択する例を示す図面である。
【図１７Ｂ】指一本でテキストを選択する例を示す図面である。
【図１８Ａ】２本の指でコンテンツを選択して選択領域を調節する例を示す図面である。
【図１８Ｂ】２本の指でコンテンツを選択して選択領域を調節する例を示す図面である。
【図１９Ａ】２本の指でテキストを選択する例を示す図面である。
【図１９Ｂ】２本の指でテキストを選択する例を示す図面である。
【図２０Ａ】指一本で先ず選択した後、他の指で選択領域を調節する例を示す図面である。
【図２０Ｂ】指一本で先ず選択した後、他の指で選択領域を調節する例を示す図面である。
【図２０Ｃ】指一本で先ず選択した後、他の指で選択領域を調節する例を示す図面である。
【図２１Ａ】ガイドラインを基準に選択されるコンテンツの範囲を示す図面である。
【図２１Ｂ】ガイドラインを基準に選択されるコンテンツの範囲を示す図面である。
【図２２Ａ】ガイドラインを基準に選択されるテキストの範囲を示す図面である。
【図２２Ｂ】ガイドラインを基準に選択されるテキストの範囲を示す図面である。
【発明を実施するための最良の形態】
【００１１】
以下、図面を参照して本発明の具体的な実施形態を説明する。
【００１２】
図１は、本発明によって領域選択装置を備えるモバイルデバイス１００の概略的なブロック図を示す。
図１を参照すれば、モバイルデバイス１００は、領域選択部１１０、処理部１２０、表示部１３０を備える。
【００１３】
領域選択部１１０は、ユーザの入力を受信して認識し、それによって領域を選択する構成であり、本発明によって信号認識部１１１と選択領域決定部１１２とを備える。信号認識部２１１は、タッチスクリーンまたはタッチスクリーンの外郭に配列されたセンサーからの信号を認識するが、特に本発明によって、モバイルデバイス１００のタッチスクリーン画面の外郭からドラッグされる信号を認識する。タッチスクリーンの外郭に配列されるセンサーとしては、タッチや圧力を認識できる手段ならばいかなる形態でもよい。例えば、複数の圧力センサーを設けて圧力を認識するか、または静電容量方式などを用いてタッチスクリーン上でのタッチ時の信号量を分析し、圧力の強度を認識する。
【００１４】
選択領域決定部１１２は、ドラッグが解除される位置に基づいて選択領域を定める。
【００１５】
処理部１２０は、領域選択部１１０から受信した情報を処理し、処理結果に基づいて表示部１３０に表示されるコンテンツやテキストに定められた選択領域を表示するように表示部１３０を制御する。
【００１６】
表示部１３０は、処理部１２０の制御によってコンテンツやテキストに定められた選択領域を表示する。表示部１３０は、ディスプレイ機能を行える手段ならばいかなる形態でもよい。
【００１７】
図１には図示されていないが、処理部１２０で処理された情報やデータを保存するために保存部をさらに備えられるということはいうまでもない。
【００１８】
また、図１には別途に図示していないが、ユーザの入力を受信するための入力部がさらに提供されてもよく、信号認識部１１１も、入力部としての機能を担当する。
【００１９】
また本発明は、タッチスクリーンが取り付けられた製品ならばいかなる製品にも適用でき、例えば、ハンドヘルド製品（Ｈａｎｄ Ｈｅｌｄ Ｐｒｏｄｕｃｔ、ＨＨＰ）、ＭＰＥＧ（Ｍｏｔｉｏｎ Ｐｉｃｔｕｒｅｓ Ｅｘｐｅｒｔｓ Ｇｒｏｕｐ）、ＭＰ３（Ｌａｙｅｒ Ａｕｄｉｏ ３）、タブレット、ＰＤＡ（Ｐｅｒｓｏｎａｌ Ｄｉｇｉｔａｌ Ａｓｓｉｓｔａｎｔ）などに適用できる。
【００２０】
図２は、本発明によってモバイルデバイス上の領域の選択方法のフローチャートである。
【００２１】
図２を参照すれば、信号認識部１１１は、デバイスの画面の外郭からドラッグされる信号を認識する（２１０）。
【００２２】
次いで、選択領域決定部１１２は、ドラッグが解除される位置に基づいて選択領域を定める（２２０）。
【００２３】
図３は、図２に示したモバイルデバイス上の領域の選択方法をさらに具体化した一例を示し、図４及び図５は、図３の動作説明を容易にするための参照図である。
図３を参照すれば、モバイルデバイスの画面の外郭から始まる信号を受信して認識する（３１０）。モバイルデバイスの画面の外郭から始まる信号を認識する方法は、例えば、デバイスの画面の外郭に画面を構成するタッチスクリーンとは別途の独立したセンサーを配列し、このセンサーからの入力信号を認識する方法を考慮する。それ以外にもいろいろな方法が考慮されうるが、このような認識方法については、図６ないし図１３を参照して詳細に説明する。
【００２４】
図４Ａを参照すれば、本発明によるモバイルデバイスの画面４００は一般的なタッチスクリーンで構成され、画面４００の外郭４０５にはタッチスクリーンとは別途の独立したセンサーを用意する。ユーザが画面の外郭４０５からタッチ４１０すれば、かかる信号が画面の外郭から始まる信号として受信される。
【００２５】
次いで、ガイドラインが画面上で表示されつつマルチセレクションモードに進入する（３２０）。図４Ｂを参照すれば、ユーザの指が画面の外郭からドラッグ形態に画面の内部に進入する時、ユーザの指が画面をタッチする位置４２０を中心としてガイドライン４３０が表示される。タッチ位置を中心として表示されるガイドラインは多様な方法でその表示が可能であるが、図４Ｂでは、ユーザが直観的に認識しやすくタッチ位置を中心としてｘ軸、ｙ軸にガイドラインが表示された。もちろん、このようなガイドライン表示は、ユーザにいかなる部分が選択されるかについての予測性を与えるために提供するものであり、これは必ずしも本発明の具現に必要なものではなく、ガイドライン表示は選択的である。
【００２６】
次いで、画面内でタッチ地点が２つ未満であるかどうかを判断する（３３０）。
【００２７】
タッチ地点が２つ未満である場合、すなわち、タッチ地点が一つであり、該タッチがリリースされれば（３４０）、ガイドラインに最も近接しているコンテンツを選択領域として定める（３５０）。
【００２８】
図４Ｃを参照して、タッチ地点が２つ未満である場合の動作を説明する。図４Ｃを参照すれば、ユーザの指がタッチ地点４２０からさらに進んでタッチ地点４４０まで進んだことを示し、したがってタッチ地点４４０を中心としてガイドライン４５０も表示される。ここでは、タッチ地点４４０が一つであり、以後ユーザがタッチ地点４４０で指を画面から離せば、すなわち、リリース（解除）すれば、タッチ地点４４０及びガイドライン４５０に最も近接しているコンテンツ４６０が選択領域として定められる。
【００２９】
段階３３０で画面内のタッチ地点が２つ未満ではない場合、すなわち、タッチ地点が２つである場合には、方形のガイドラインが生成される（３６０）。そして、リリースされれば（３７０）、方形のガイドライン領域内にあるコンテンツが選択される（３８０）。
【００３０】
図５Ａ及び図５Ｂを参照して、タッチ地点が２つである場合の動作を説明する。
【００３１】
図５Ａを参照すれば、モバイルデバイス１００の画面の外郭４０５から、ユーザの第１指による信号５１０と第２指による信号５２０とが同時に受信される。
【００３２】
図５Ｂを参照すれば、第１指（タッチ地点５１０）と第２指（タッチ地点５２０）とがそれぞれ画面内に進入して、第１指はタッチ地点５３０に位置しており、第２指はタッチ地点５５０に位置している。第１指のタッチ地点５３０を中心としてガイドライン５４０が表示され、第２指のタッチ地点５５０を中心としてガイドライン５６０が表示される。画面内タッチ地点が２つであるため、ガイドライン５４０とガイドライン５６０とによって方形のガイドラインが生成され、この状態でリリースされれば、方形のガイドライン内にあるコンテンツ５７０が選択領域になる。図５Ａ及び図５Ｂに関する例では、２本の指が同時に画面内に進入する例を説明したが、必ずしもこれに限定されるものではない。最初には指一本で進入してからリリースする前に、他の指でタッチやタップをしても画面内で２つのタッチが認識されるため、最初には指一本で進入してからリリースする前に、他の指でタッチやタップすることによっても可能である。
【００３３】
図６は、モバイルデバイスの画面の外郭から始まる信号を受信して認識する方法の一例である。
図６を参照すれば、スクリーンの外郭に配列されたセンサーから入力信号を受信する（６１０）。図７に示したように、モバイルデバイス７００の画面は一般的なタッチスクリーン７１０で構成され、画面の外郭にセンサー７２０を備える。画面の外郭部分はベゼル（ｂｅｚｅｌ）と知られている。ユーザがモバイルデバイスの画面内部のタッチスクリーンではない画面の外郭からタッチし始めれば、モバイルデバイスは画面の外郭に配列されたセンサーから入力信号を受信する。
【００３４】
そして、タッチスクリーンからドラッグ信号を受信すれば（６２０）、画面の外郭のセンサー入力信号及び画面内部のドラッグ信号に基づいてマルチセレクション（多重選択）モードに進入する（６３０）。
【００３５】
図８は、画面の外郭に配列されたセンサーから、画面の外郭から始まる信号を受信する過程を説明するための参照図である。
図８を参照すれば、ユーザが先ず画面の外郭部分に配列されたセンサー７３０をタップまたはタッチすれば、センサー入力信号が発生し、次いで、ユーザが画面内部７４０のタッチスクリーンをドラッグすれば、タッチスクリーンから入力信号が発生する。このようなセンサー入力信号及びタッチスクリーンドラッグ信号によって、機器はマルチセレクションモードに進入する。
【００３６】
図９は、モバイルデバイスの画面の外郭から始まる信号を受信して認識する方法の他の例である。
図９を参照すれば、タッチスクリーンで入力信号を受信する（９１０）。
【００３７】
そして、タッチされた面の形態を分析する（９２０）。
【００３８】
タッチされた面の形態を分析して入力された信号を外郭信号と見なせるかどうかを判断する（９３０）。外郭信号と判断されない場合にはそのまま終了し、外郭信号と判断される場合にはマルチセレクションモードに進入する（９４０）。
【００３９】
図１０Ａ及び図１０Ｂは、図９に示した方法を説明するための参照図である。
【００４０】
図９に示した方法では、モバイルデバイス１００の外郭には何のセンサーも配列されていない。但し、画面の外郭から入ってくる信号であるかどうかを判断するためにタッチスクリーンにタッチされた面積の形態を分析する。
【００４１】
図１０Ａを参照すれば、ユーザがモバイルデバイス１００の画面内部１０１０でタッチ動作をすれば、タッチされた面積は、１０２０のように完全な指の形態に認識され、このような信号は一般的なタッチと認識する。
【００４２】
図１０Ｂを参照すれば、ユーザがモバイルデバイス１００の外郭１０３０からタッチし始めれば、最初に認識される信号は１０４０のように、完全な指の形態ではなく形態の一部が切断されたように直線形態と認識される。このような形態が認識されれば、これは、画面内部でタッチしたものではなく、画面外、すなわち、画面の外郭からタッチされたということが分かり、したがって、このような形態に認識されれば、これは外郭信号と判断すればよい。
【００４３】
図１１は、モバイルデバイスの画面の外郭から始まる信号を受信して認識する方法のさらに他の例である。図１１で説明する方法は、厳密にいえば、モバイルデバイスの画面の外郭からではなく、画面の内部から始まる信号ではあるものの、画面の外郭信号であるように使える方法に関する。
【００４４】
図１１を参照すれば、画面上に指定された外郭領域のタップ信号を受信する（１１１０）。図１２Ａを参照すれば、モバイルデバイス１２００の実際画面の外郭は１２１０と表示される。しかし、図１２Ｂを参照すれば、コンテンツが表示される領域の外郭を１２２０と定義する。モバイルデバイスには、メニューやモバイルデバイスの状態を表示するためのフレームが、画面の最上端や最下端または最上端及び最下端ともに配列される。図１１に示した方法では、このような状態表示フレームを画面内で“コンテンツが表示される領域の外郭”と指定し、このような状態表示フレームでタップ信号が入ってくれば、これを画面の外郭から入ってくる信号と認識する。
【００４５】
そして、この信号が画面の内側方向にドラッグされる（１１２０）。
【００４６】
このようなドラッグ距離が所定のしきい値より大きいかどうかを判断し（１１３０）、ドラッグ距離が所定のしきい値より大きければマルチセレクションモードに進入し（１１４０）、ドラッグ距離が所定のしきい値より大きくなければ終了する。
【００４７】
ここでしきい値は、マルチセレクションモードに進入するためのしきい値である。画面にディスプレイされるコンテンツのスクロール方向と領域選択のためのドラッグ方向とが重なる場合には、しきい値に加重値を与えることが望ましい。図１３Ａに示したように、モバイルデバイスに現在表示されるコンテンツが横スクロールによって動作される場合、本発明によって、モバイルデバイスでコンテンツ選択のための横方向のドラッグ信号は、横スクロールによる信号と重なって混同される恐れもある。よって、この場合には、マルチセレクションモードへの進入のための最小ドラッグ距離に加重値を与えることが望ましい。
【００４８】
また、図１３Ａに示したモバイルデバイスのコンテンツが横スクロールである場合のしきい値ｄ１は、図１３Ｂに示したモバイルデバイスのコンテンツが縦スクロールである場合のしきい値ｄ２よりさらに大きくなければならない。
【００４９】
図１４Ａ及び図１４Ｂは、図１１に示した方法、すなわち、コンテンツがディスプレイされる領域の外郭から入ってくるジェスチャを用いてコンテンツを選択する動作例を示す。
【００５０】
図１４Ａ及び図１４Ｂを参照すれば、モバイルデバイス１２００の画面は、コンテンツの状態やメニューを表示するフレーム１２３０と実際コンテンツが表示されるフレーム１２２０とで構成される。ユーザが指でメニュー表示フレーム１２３０の所定位置１２４０をタップしてから画面内部にドラッグし、コンテンツが表示された画面の所定位置１２５０で指をリリースすれば、前記所定位置１２５０で近接しているコンテンツが選択領域と指定される。
【００５１】
このようにモバイルデバイスの画面の外郭にセンサーを特に備えなくても、タッチスクリーン画面内部の構成、すなわち、状態やメニューが表示される空間を用いて画面の外郭から入ってくる信号であるかのように認識し、これをコンテンツの選択に用いる。
【００５２】
図１５Ａないし図１５Ｃは、指一本でコンテンツを選択して選択領域を調節する例を図示する。
【００５３】
図１５Ａを参照すれば、ユーザは、モバイルデバイス１５００の画面の外郭１５１０から始まってタッチをする。デバイス１５００は、外郭１５１０から信号が入力されたと認識すれば、このようなユーザの動作がコンテンツの選択のための動作であると認識する。
【００５４】
図１５Ｂを参照すれば、ユーザは、モバイルデバイス１５００の画面の外郭１５１０からタッチした指をドラッグし、画面内の位置１５２０でリリースする。そうすると、モバイルデバイス１５００は、リリースされた位置１５２０に最も近接しているコンテンツ１５３０を選択領域として表示するために、コンテンツ１５３０の枠にガイドライン１５４０を表示する。
【００５５】
図１５Ｃを参照すれば、ユーザは、一応選択されたコンテンツ１５３０以外に他のコンテンツもさらに選択するために、指をさらにドラッグする。ユーザが指で位置１５５０までドラッグすれば、最初に選択されたコンテンツ１５３０から位置１５５０までのコンテンツを含む部分が選択領域と指定されて、ガイドライン１５６０が表示される。ユーザはこのような動作によって選択領域を調節する。
【００５６】
図１６Ａ及び図１６Ｂは、指一本でコンテンツを選択する他の例を図示する。
【００５７】
図１６Ａを参照すれば、ユーザは、モバイルデバイス１６００の画面の外郭から始まってタッチを行い、タッチした指をドラッグして画面内の位置１６２０でリリースする。そうすると、モバイルデバイス１６００は、リリースされた位置１６１０に最も近接しているコンテンツを選択領域１６２０と表示する。
【００５８】
図１６Ｂを参照すれば、ユーザは、一応選択されたコンテンツ以外に他のコンテンツもさらに選択するために指をさらにドラッグし、ユーザが指で位置１６３０までドラッグすれば、最初に選択されたコンテンツから位置１６３０までのコンテンツを含む部分が選択領域と指定され、ガイドライン１６４０が表示される。ユーザは、このような動作によって選択領域を調節する。
【００５９】
図１７Ａ及び図１７Ｂは、指一本でテキストを選択する例を示す。
【００６０】
図１７Ａを参照すれば、ユーザは、モバイルデバイス１７００の画面の外郭から始まってタッチを行い、指をドラッグして画面内の位置１７１０でリリースする。そうすると、モバイルデバイス１７００は、リリースされた位置１７１０に最も近接しているテキスト１７２０を選択領域と表示する。
【００６１】
図１７Ｂを参照すれば、ユーザは、一応選択されたコンテンツ以外に他のコンテンツもさらに選択するために指をさらにドラッグし、ユーザが指で位置１７３０までドラッグすれば、最初に選択されたコンテンツから位置１７３０までのコンテンツを含む部分が選択領域と指定され、ガイドライン１７４０が表示される。ユーザは、このような動作によって選択領域を調節する。
【００６２】
図１８Ａ及び図１８Ｂは、２本の指でコンテンツを選択して選択領域を調節する例を図示する。
【００６３】
図１８Ａを参照すれば、ユーザは、モバイルデバイス１８００の画面の外郭から、同時に２本の指を使ってタッチしつつ画面内側へドラッグする。そして第１指が第１位置８１０で、かつ第２指が第２位置８２０でリリースされれば、第１位置８１０及び第２位置１８２０によって方形のガイドライン１８３０が表示され、ガイドライン１８３０内部のコンテンツ１８４０が選択される。
【００６４】
図１８Ｂを参照すれば、ユーザは、一応選択されたコンテンツ以外に他のコンテンツもさらに選択するために、指をさらにドラッグする。ユーザが第２指で第３位置１８５０までドラッグすれば、最初に選択されたコンテンツから第３位置１８５０までのコンテンツを含む部分がガイドライン１８６０に表示され、ガイドライン１８６０内部のコンテンツ１８７０が選択される。ユーザは、このような動作によって選択領域を調節する。
【００６５】
図１９Ａ及び図１９Ｂは、２本の指でテキストを選択する例を示す。
【００６６】
図１９Ａを参照すれば、ユーザは、モバイルデバイス１９００の画面の外郭から、同時に２本の指を使ってタッチしつつ画面内側へドラッグする。そして第１指が第１位置１９１０で、かつ第２指が第２位置１９２０でリリースされれば、第１位置１９１０から第２位置１９２０までのテキスト１９３０が選択される。
【００６７】
図１９Ｂを参照すれば、ユーザは、一応第１指でモバイルデバイス１９００の画面の外郭からタッチしつつ画面内側へドラッグする。そして第１指が第１位置１９１０でリリースされる前に第２指が第２位置１９２０でタップするか、またはタッチすれば、第１位置１９１０から第２位置１９２０までのテキスト１９３０が選択される。
【００６８】
図２０Ａないし図２０Ｃは、指一本で先ず選択した後、他の指で選択領域を調節する例を示す。
【００６９】
図２０Ａを参照すれば、ユーザは、モバイルデバイス２０００の画面の外郭２０１０から始まってタッチを行い、タッチした第１指をドラッグして画面内の位置２０２０にまで持ってくる。モバイルデバイス２０００は、位置２０２０に最も近接しているコンテンツを選択領域２０３０と表示する。
【００７０】
図２０Ｂを参照すれば、ユーザが第１指をリリースする前に、第２指で画面内の第２位置２０４０をタップまたはタッチする。
【００７１】
図２０Ｃを参照すれば、このような第２指のタップまたはタッチによって、第１位置２０２０及び第２位置２０４０を基準として方形のガイドライン２０５０が表示され、ガイドライン２０５０内部のコンテンツ２０６０が選択される。
【００７２】
図２１Ａ及び図２１Ｂは、ガイドラインを基準として選択されるコンテンツの範囲を示す。
【００７３】
指一本または２本の指によってガイドラインが生成された場合に、ガイドラインを基準としていかなるコンテンツを選択領域とするかが問題になりうる。すなわち、ガイドラインが正確にコンテンツの範囲とぴったりすれば考慮する必要がないが、実際モバイルデバイスを使うユーザとしては、コンテンツの範囲に合わせて指を正確に調整し難いため、ガイドラインを基準としていかなるコンテンツを選択領域とするかを考慮する必要がある。
【００７４】
図２１Ａは、ガイドラインの内部にあるコンテンツのみを選択する例を示す。
図２１Ａを参照すれば、モバイルデバイス２１００を使うユーザが２本の指を用いて画面の外郭からドラッグし、第１指は第１位置２１１０で、かつ第２指は第２位置２１２０でリリースすることで、方形のガイドライン２１３０が生成される。図２１Ａに示した例では、このようなガイドライン２１３０の内部に含まれた、すなわち、ガイドライン２１３０に完全に取り囲まれたコンテンツ２１４０が選択されたといえる。
【００７５】
図２１Ｂは、ガイドラインの領域がコンテンツのｎ％以上占める場合に選択する例を示す。
図２１Ｂを参照すれば、モバイルデバイス２１００を使うユーザが２本の指を用いて画面の外郭からドラッグし、第１指は第１位置２１１０で、かつ第２指は第２位置２１２０でリリースすることで、方形のガイドライン２１３０が生成される。図２１Ｂに示した例では、このようなガイドライン２１３０に完全に取り囲まれたものでなくてもある程度以上含まれた、すなわち、ｎ％以上含まれたコンテンツ２１５０ならば、選択されたといえる。ここでｎは、モバイルデバイスメーカーまたはプログラム設計者の意図によって多様に定められる。
【００７６】
図２２Ａ及び図２２Ｂは、ガイドラインを基準に選択されるテキストの範囲を示す。
【００７７】
図２２Ａは、２本の指でテキストを選択する場合選択されるテキストの範囲のイルイェを示す。
【００７８】
図２２Ａを参照すれば、モバイルデバイス２２００を使うユーザが、２本の指を用いて画面の外郭からドラッグし、第１指は第１位置２２１０で、かつ第２指は第２位置２２２０でリリースすることで方形のガイドライン２２３０が生成される。図２２Ａに示した例では、このようなガイドライン２２３０の内部に含まれたテキストのうち、開始地点と終了地点とを繋ぐ連続テキストを選択する。ここで開始地点と終了地点とは、例えば、完全な文章の初めと終わりとを示す。
【００７９】
図２２Ｂは、指一本でテキストを選択する場合に選択されるテキストの範囲の一例を示す。
図２２Ｂを参照すれば、モバイルデバイス２２００を使うユーザが、指一本を用いて画面の外郭からドラッグし、位置２２１０でリリースすることで位置２２１０に最も近接しているテキスト２２４０が選択される。例えば、最も近接しているテキストとして一つの単語単位を先ず選択させる。次いで、ユーザが指の位置を調節することでテキスト選択領域２２５０を調節する。
【００８０】
以上説明したような方法はまた、コンピュータで読み取り可能な記録媒体にコンピュータで読み取り可能なコードとして具現できる。コンピュータで読み取り可能記録媒体は、コンピュータシステムによって読み取られるデータが保存されるすべての記録装置を含む。コンピュータで読み取り可能記録媒体の例には、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じる伝送）の形態で具現されるものも含む。またコンピュータで読み取り可能記録媒体は、ネットワークに連結されたコンピュータシステムに分散され、分散方式でコンピュータで読み取り可能なコードが保存されて実行される。そして、前記記録再生方法を具現するための機能的なプログラム、コード及びコードセグメントは、本発明が属する技術分野のプログラマーによって容易に想到される。
【００８１】
これまで本発明についてその望ましい実施形態を中心として説明した。当業者ならば、本発明が本発明の本質的な特性から逸脱しない範囲内で変形された形態に具現されるということを理解できるであろう。したがって、開示された実施形態は限定的な観点ではなく説明的な観点で考慮されねばならない。本発明の範囲は前述した説明ではなく特許請求の範囲に示されており、それと同等な範囲内にあるすべての差は本発明に含まれていると解釈されねばならない。
【図１】
0005893032.tif 000002
【図２】
0005893032.tif 000003
【図３】
0005893032.tif 000004
【図４Ａ】
0005893032.tif 000005
【図４Ｂ】
0005893032.tif 000006
【図４Ｃ】
0005893032.tif 000007
【図５Ａ】
0005893032.tif 000008
【図５Ｂ】
0005893032.tif 000009
【図６】
0005893032.tif 000010
【図７】
0005893032.tif 000011
【図８】
0005893032.tif 000012
【図９】
0005893032.tif 000013
【図１０Ａ】
0005893032.tif 000014
【図１０Ｂ】
0005893032.tif 000015
【図１１】
0005893032.tif 000016
【図１２Ａ】
0005893032.tif 000017
【図１２Ｂ】
0005893032.tif 000018
【図１３Ａ】
0005893032.tif 000019
【図１３Ｂ】
0005893032.tif 000020
【図１４Ａ】
0005893032.tif 000021
【図１４Ｂ】
0005893032.tif 000022
【図１５Ａ】
0005893032.tif 000023
【図１５Ｂ】
0005893032.tif 000024
【図１５Ｃ】
0005893032.tif 000025
【図１６Ａ】
0005893032.tif 000026
【図１６Ｂ】
0005893032.tif 000027
【図１７Ａ】
0005893032.tif 000028
【図１７Ｂ】
0005893032.tif 000029
【図１８Ａ】
0005893032.tif 000030
【図１８Ｂ】
0005893032.tif 000031
【図１９Ａ】
0005893032.tif 000032
【図１９Ｂ】
0005893032.tif 000033
【図２０Ａ】
0005893032.tif 000034
【図２０Ｂ】
0005893032.tif 000035
【図２０Ｃ】
0005893032.tif 000036
【図２１Ａ】
0005893032.tif 000037
【図２１Ｂ】
0005893032.tif 000038
【図２２Ａ】
0005893032.tif 000039
【図２２Ｂ】
0005893032.tif 000040